(57)【要約】【課題】  予め必要なキーワードを入力した状態で、原稿の画像を読み取りを行い、キーワードが含まれる原稿を有効に抽出可能な画像読取装置を提供する。【解決手段】  画像読取装置は入力操作を行うための入力操作部と、原稿の画像を読み取る画像読取部３と、画像読取部３で読み取られた画像を記憶する記憶部を有する制御部とを備える。制御部は、画像読取部３で読み取られた画像に含まれる文字について文字認識処理によりテキストデータを作成するＯＣＲ機能を備えると共に、入力操作部から入力されたキーワードが前記テキストデータに含まれるかどうかを検索し、キーワードが含まれる原稿を抽出する検索抽出機能を備える。【選択図】    図２
2008140205.tif 000002
【特許請求の範囲】
【請求項１】
入力操作を行うための入力操作部と、原稿の画像を読み取る画像読取部と、画像読取部で読み取られた画像を記憶する記憶部を有する制御部とを備えた画像読取装置において、
前記制御部は、画像読取部で読み取られた画像に含まれる文字について文字認識処理によりテキストデータを作成するＯＣＲ機能を備えると共に、前記入力操作部から入力されたキーワードが前記テキストデータに含まれるかどうかを検索し、キーワードが含まれる原稿を抽出する検索抽出機能を備えていることを特徴とする画像読取装置。
【請求項２】
請求項１に記載の画像読取装置において、
前記入力操作部から優先順位が設定された複数の前記キーワードが入力可能とされ、前記画像読取部で読み取られた画像の画像データおよび前記テキストデータを、キーワードの優先順位毎にファイルを作成することを特徴とする画像読取装置。
【請求項３】
請求項１に記載の画像読取装置を備えた画像形成装置において、
前記画像読取装置は、原稿搬送経路に沿って複数の原稿を一枚ずつ搬送し、前記画像読取部上を通過させる原稿搬送手段を備えると共に、前記原稿搬送経路の途中に、搬送される前記原稿にページ数の数字を印字する印字部を備え、
さらに、用紙にデータを記録する記録部を備え、
前記画像読取部上を前記各原稿が通過する際に、各原稿の画像を読み取って前記テキストデータを作成し、前記キーワードがテキストデータに含まれるかどうかをそれぞれ検索し、キーワードが含まれる原稿のページ数を抽出して前記記憶部に記憶し、前記複数の原稿搬送後、キーワードを含むページ数の一覧を前記記録部で前記用紙に記録して排出することを特徴とする画像形成装置。
【請求項４】
請求項３に記載の画像形成装置において、
前記入力操作部から優先順位が設定された複数の前記キーワードが入力可能とされ、キーワードの優先順位毎に前記ページ数の一覧を記録して排出することを特徴とする画像形成装置。
【発明の詳細な説明】
【技術分野】
【０００１】
本発明は、大量にある原稿の整理に好適な画像読取装置および画像形成装置に関するものである。
【背景技術】
【０００２】
従来、原稿の整理に際して、スキャナ等の画像読取装置により原稿の画像を読み込んで、パソコンに出力し、読み込んだ画像データにキーワードとなるようなファイル名を付して保存していた。
【０００３】
そして、保存された多数の画像データから必要なファイルを読み出す場合には、保存する際に付したファイル名をキーワードとして指定することで所望するファイルを特定していた。
【０００４】
しかしながら、原稿が大量にある場合、原稿を一枚ずつ画像読取装置で読み込み、その都度、キーワードとなるファイル名を入力する必要があり、面倒な作業となっていた。
【０００５】
そこで、このような面倒な作業を解消すべく、帳票等の紙媒体に記録された内容をイメージによって読み取ってイメージファイルを作成すると共に、前記イメージ中に含まれる文字について文字認識処理を施してテキストファイルを作成し、テキストファイルの内容を利用して紙媒体の１枚毎にキーワードを作成し、このキーワードを紙媒体の１枚に対応するイメージファイルとテキストファイルとに付して体系的にファイリングするファイリングシステムが提案されている（例えば、特許文献１参照。）。
【０００６】
そして、このような構成により、複数枚の紙媒体を１度に読み込んでも、イメージ読み込みと同時に、検索対象を特定するためのキーワードが１枚の紙媒体毎に自動作成され、１枚の紙媒体のイメージファイルとテキストファイルを１書類としてファイリングシステムに登録することができるので、キーワード登録のための操作を行なうことなく、紙媒体から得られるイメージファイルとテキストファイルを簡単にファイリングすることができる。
【０００７】
また、複数の文書を登録する場合に、文書中の文書タイトルとキーワードとを色情報の付加により自動的に検出して認識し、複数の文書を文書毎に分離し、文書タイトルやキーワードを自動的に付加しつつ登録する電子ファイリング装置も提案されている（例えば、特許文献２参照。）。
【０００８】
【特許文献１】特開平１０−９７６０６号公報
【特許文献２】特開平６−５２２３６号公報
【発明の開示】
【発明が解決しようとする課題】
【０００９】
しかしながら、上記従来のファイリングシステムやファイリング装置によれば、原稿が大量にある場合であっても、一旦、全ての原稿を読み込んでファイリングした後、所望のファイルをキーワードの入力等によって検索する方法である。
【００１０】
一方、大量にある原稿の中には、不要な資料も含まれており、これら全ての原稿を読み込んで一旦ファイリングするのは、無駄が多くなると共に、その後の検索に際しても、検索処理に無駄な時間を要する。
【００１１】
そこで、本発明は上記点に鑑み、予め必要なキーワードを入力した状態で、原稿の画像を読み取りを行い、キーワードが含まれる原稿を有効に抽出可能な画像読取装置および画像形成装置を提供することを目的とする。
【課題を解決するための手段】
【００１２】
上記課題を解決するための画像読取装置の技術的手段は、入力操作を行うための入力操作部と、原稿の画像を読み取る画像読取部と、画像読取部で読み取られた画像を記憶する記憶部を有する制御部とを備えた画像読取装置において、前記制御部は、画像読取部で読み取られた画像に含まれる文字について文字認識処理によりテキストデータを作成するＯＣＲ機能を備えると共に、前記入力操作部から入力されたキーワードが前記テキストデータに含まれるかどうかを検索し、キーワードが含まれる原稿を抽出する検索抽出機能を備えている点にある。
【００１３】
また、前記入力操作部から優先順位が設定された複数の前記キーワードが入力可能とされ、前記画像読取部で読み取られた画像の画像データおよび前記テキストデータを、キーワードの優先順位毎にファイルを作成する構造としてもよい。
【００１４】
さらに、上記のような画像読取装置を備えた画像形成装置の技術的手段は、前記画像読取装置は、原稿搬送経路に沿って複数の原稿を一枚ずつ搬送し、前記画像読取部上を通過させる原稿搬送手段を備えると共に、前記原稿搬送経路の途中に、搬送される前記原稿にページ数の数字を印字する印字部を備え、さらに、用紙にデータを記録する記録部を備え、前記画像読取部上を前記各原稿が通過する際に、各原稿の画像を読み取って前記テキストデータを作成し、前記キーワードがテキストデータに含まれるかどうかをそれぞれ検索し、キーワードが含まれる原稿のページ数を抽出して前記記憶部に記憶し、前記複数の原稿搬送後、キーワードを含むページ数の一覧を前記記録部で前記用紙に記録して排出する点にある。
【００１５】
また、前記入力操作部から優先順位が設定された複数の前記キーワードが入力可能とされ、キーワードの優先順位毎に前記ページ数の一覧を記録して排出する構造としてもよい。
【発明の効果】
【００１６】
以上のように、本発明の画像読取装置によれば、制御部は、画像読取部で読み取られた画像に含まれる文字について文字認識処理によりテキストデータを作成するＯＣＲ機能を備えると共に、入力操作部から入力されたキーワードがテキストデータに含まれるかどうかを検索し、キーワードが含まれる原稿を抽出する検索抽出機能を備えているため、予め必要なキーワードを入力した状態で、原稿の読み取り操作を開始すれば、ＯＣＲ機能により、原稿の画像に含まれる文字についてテキストデータが作成され、検索抽出機能により、そのテキストデータに基づき、キーワードが含まれるかどうかを検索することができ、原稿の読み取り作業を行うことによって大量の原稿の中から必要なキーワードが含まれる原稿を有効に抽出することができる。
【００１７】
また、入力操作部から優先順位が設定された複数のキーワードが入力可能とされ、画像読取部で読み取られた画像の画像データおよびテキストデータを、キーワードの優先順位毎にファイルを作成する構造とすれば、原稿のデータ化に際し、必要な原稿のデータの抽出や優先順位に応じた分類（並び替え）が可能となる。従って、原稿のデータ化と同時に、キーワードに応じた抽出や分類が可能となり、整理作業における作業工程数の削減が図れる利点がある。
【００１８】
しかも、原稿のデータ化に際して、画像データとテキストデータのファイルを作成しているため、画像データにより原稿の読み取りの正確性が確保できると共に、テキストデータによりその後の整理作業におけるデータ処理も容易となる。この際、不要な資料のデータ化は削減されており、無駄なデータの保存が有効に防止できると共に、その後の検索処理等の整理作業においても無駄が有効に防止できる。
【００１９】
さらに、本発明の画像形成装置によれば、画像読取装置は、原稿搬送経路に沿って複数の原稿を一枚ずつ搬送し、画像読取部上を通過させる原稿搬送手段を備えると共に、原稿搬送経路の途中に、搬送される原稿にページ数の数字を印字する印字部を備え、さらに、用紙にデータを記録する記録部を備え、画像読取部上を各原稿が通過する際に、各原稿の画像を読み取ってテキストデータを作成し、キーワードがテキストデータに含まれるかどうかをそれぞれ検索し、キーワードが含まれる原稿のページ数を抽出して記憶部に記憶し、複数の原稿搬送後、キーワードを含むページ数の一覧を記録部で用紙に記録して排出する構造とされており、原稿搬送経路の上流に複数の原稿をセットして読み取り作業を開始すれば、原稿搬送手段によって原稿が一枚ずつ搬送される際、原稿読取部で原稿の画像が読み取られると共に原稿にページ数が印字される。
【００２０】
そして、読み取られた原稿の画像からテキストデータが作成され、キーワードが含まれるかどうかが検索され、キーワードが含まれる原稿のページ数を抽出し、最終的に、キーワードを含むページ数の一覧を記録した用紙が排出されるため、キーワードを含む原稿を容易に特定でき、目的とする原稿を探す手間が有効に削減できる。従って、大量にある原稿の整理に際して、必要な原稿を容易に抽出して整理することができる。
【００２１】
この際、入力操作部から優先順位が設定された複数の前記キーワードが入力可能とされ、キーワードの優先順位毎にページ数の一覧を記録して排出する構造とすれば、大量にある原稿の中から必要な原稿の抽出と、優先順位に応じた整理作業が容易に行えるという利点がある。
【発明を実施するための最良の形態】
【００２２】
以下、本発明にかかる画像形成装置を、コピー機能、スキャナ機能、プリンタ機能およびファクシミリ機能を備えた複合機に具体化した実施形態を図面に基づいて説明すると、図１ないし図３に示されるように、画像形成装置としての複合機１は、記録部２の上方に画像読取装置の主要部を構成する画像読取部３が配置され、記録部２には記録装置４および給紙カセット５がそれぞれ上下に内装されており、給紙カセット５内に堆積された用紙を記録装置４へ給紙して記録した後に、記録紙排出トレイ６へ排出するように構成されている。
【００２３】
前記画像読取部３においては、上面を透明状の原稿載置台７とした読取ケース８内に読取装置９を収納しており、原稿載置台７上に載置された原稿を読取装置９により走査して、原稿の読み取りを行うように構成されている。また、読取ケース８の上方には、その一辺に備えられたヒンジ部を中心として開閉可能に構成される原稿押さえカバー１０が配置され、原稿押さえカバー１０により原稿載置台７上に載置された原稿を上方から押さえる構造とされている。
【００２４】
原稿押さえカバー１０の一端部には原稿を自動的に給紙する原稿搬送手段としての自動原稿搬送装置（ＡＤＦ装置）１１が設けられ、原稿供給トレイ１２に載置された原稿を一枚ずつピックアップして、原稿載置台７の一側部側へ搬送し、読取装置９により原稿の画像を読み取った後に、原稿押さえカバー１０の上面に形成される原稿排出トレイ１３へ排出するように構成されている。
【００２５】
そして、原稿供給トレイ１２から原稿排出トレイ１３に至る原稿搬送経路１４に沿って、原稿供給トレイ１２に載置された複数の原稿の上面に当接して、その一番上の原稿を送り出すピックアップローラ１５と、その送り出された原稿を一枚ずつ分離してさらに送り出す分離ローラ１６と、分離された原稿を原稿載置台７の一側方に備えられた画像読取面としての透明な透光板１７上を通過させて原稿排出トレイ１３に搬送案内する複数の搬送ローラ１８を順次備える。
【００２６】
また、原稿搬送経路１４におけるピックアップローラ１５と分離ローラ１６との間に位置して、原稿供給トレイ１２に載置される複数の原稿の前端と当接するように、シャッタ１９が退避操作可能に配置され、透光板１７位置と原稿排出トレイ１３との間における原稿搬送経路１４の途中には、原稿搬送経路１４に沿って搬送される原稿の所定位置に数字を印字するための印字部２０が配置されている。このような印字部２０としては、少なくとも数字が印字可能であればよく、例えば、ドットインパクトプリンタ機構やインクジェット機構がある。
【００２７】
以上のように、画像読取部３は、読取装置９を走査させて静止原稿を読み取るフラットベッドタイプのスキャナとして用いると共に、読取装置９を位置固定して原稿を搬送しながら読み取りを行うシートフィードタイプのスキャナとして用いることができるように構成されている。
【００２８】
また、読取装置９は、透光板１７上を通過する原稿または原稿載置台７上に載置された原稿に光を照射する光源２２と、原稿からの反射光の光路を変更する第１ないし第３ミラー２３，２４，２５と、光源２２および第１ないし第３ミラー２３，２４，２５を移動させるための図示省略の移動機構を備えている。
【００２９】
さらに、第３ミラー２５からの光を収束させる集光レンズ２６と、集光レンズ２６を通して入射した光に基づき原稿上の画像を読み取る撮像素子としてのＣＣＤ２７を備えている。
【００３０】
移動機構は、光源２２および第１ミラー２３を支持する第１キャリッジ２８および第２ミラー２４および第３ミラー２５を支持する第２キャリッジ２９をそれぞれ左右方向に進退させるいわゆる周知のツーキャリッジ方式の構造とされ、第１キャリッジ２８が第２キャリッジ２９の２倍の移動速度で移動するように構成されている。
【００３１】
そして、自動原稿搬送装置１１による複数の原稿の連続搬送時には、第１キャリッジ２８が、透光板１７の真下に対向する読取位置Ｐ１に配置される。また、原稿載置台７に載置された原稿上の静止画像の読み取り時には、第１キャリッジ２８が、原稿載置台７の自動原稿搬送装置１１側における端部の真下に対向する位置Ｐ２と、原稿載置台７の反対側端部の真下に対向する位置Ｐ３との間で移動される。
【００３２】
従って、自動原稿搬送装置１１により複数の原稿を連続的に搬送する際には、第１および第２キャリッジ２８，２９が読取位置Ｐ１に配置された状態で、透光板１７上を通過する原稿の画像の読み取りを行い、また、両キャリッジ２８，２９が位置Ｐ２から位置Ｐ３まで移動される間で、原稿載置台７上に載置された原稿の画像の読み取りを行う構造とされている。
【００３３】
また、複合機１は、入力操作を行うための入力操作部３１を画像読取部３の手前側に備えると共に、図示省略の制御部や周知の読み込んだ画像等を記憶するためのメモリ、コーデック、モデムおよびＮＣＵ（ネットワークコントロールユニット）等を備えている。前記制御部はＭＰＵ、ＲＯＭ、ＲＡＭ等から構成され、複合機１全体の動作を制御する。
【００３４】
さらに、本実施形態においては、複合機１はコピー機能、スキャナ機能、プリンタ機能およびファクシミリ機能に加えて、さらに原稿抽出機能やファイル作成機能を備えた構造とされており、制御部は、コピー機能、スキャナ機能、プリンタ機能およびファクシミリ機能を制御するだけでなく、所定のプログラム処理により、画像読取部３で読み取られた原稿の画像に含まれる文字について文字認識処理によりテキストデータを作成するＯＣＲ（光学的文字読取）機能を備えると共に、入力操作部３１から入力されたキーワードがそのテキストデータに含まれるかどうかを検索し、キーワードが含まれる原稿を抽出する検索抽出機能を備えた構成とされている。
【００３５】
また、入力されるキーワードは、複数のキーワードの入力が可能とされ、キーワードに応じた優先順位の設定も可能に構成されている。
【００３６】
入力操作部３１は、コピー機能、スキャナ機能、プリンタ機能、ファクシミリ機能、原稿抽出機能、ファイル作成機能等の設定や、キーワードの設定等が入力できるようになっている。
【００３７】
そして、コピー機能、スキャナ機能、プリンタ機能、ファクシミリ機能は、従来と同様に動作するように構成されている。
【００３８】
次に、本実施形態における特徴的機能である原稿抽出機能について、図４のフローチャートに基づき説明する。
【００３９】
即ち、大量にある原稿の中から、例えば「ランプ」関係の資料を抽出したい場合、大量の原稿を原稿供給トレイ１２にセットし（ステップＳ１）、入力操作部３１により原稿抽出機能を選択して、キーワード「ランプ」を入力して設定した後（ステップＳ２）、スタートキーを操作する（ステップＳ３）。
【００４０】
このスタートキーの操作により、自動原稿搬送装置１１が作動して、原稿供給トレイ１２上に載置された原稿の中の最上位の原稿が原稿搬送経路１４に沿って順次搬送される（ステップＳ４）。そして、原稿搬送経路１４途中における透光板１７上を通過する際に、読取装置９によって原稿の画像が読み取られると共に、制御部のＯＣＲ機能によって読み取られた画像に含まれる文字について文字認識処理によりテキストデータを作成し、メモリに記憶する（ステップＳ５）。また、原稿搬送経路１４に沿って搬送される原稿が、印字部２０を通過する際、原稿の端縁部の適宜位置に搬送の順番を表示するページ数が印字される。
【００４１】
一方、制御部の検索抽出機能により、ＯＣＲ機能で作成されたテキストデータにキーワード「ランプ」が含まれるかどうかが検索され（ステップＳ６）、キーワード「ランプ」が含まれていれば、印字されるページ数をメモリに記憶すると共にそのテキストデータを破棄する（ステップＳ７）。また、ステップＳ６で、キーワード「ランプ」が含まれていなければ、単にテキストデータが破棄される（ステップＳ８）。
【００４２】
その後、原稿供給トレイ１２上に次の原稿があるかどうかが判断され（ステップＳ９）、原稿があれば、ステップＳ４に戻り、同様の動作が繰り返される。そして、原稿供給トレイ１２上の原稿が無くなれば、メモリに記憶されているキーワード「ランプ」を含むページ数の一覧を、記録部２で用紙に記録して記録紙排出トレイ６に排出する（ステップＳ１０）。
【００４３】
従って、ユーザは、記録紙排出トレイ６に排出された用紙のページ数の一覧により、多数の原稿の中からキーワード「ランプ」が含まれる原稿のページを容易に特定できるため、目的とする原稿を探す手間が有効に削減でき、大量にある原稿の整理に際して、必要な原稿を容易に抽出して整理することができる。
【００４４】
また、ステップＳ２におけるキーワードの設定に際して、ａｎｄやｏｒ等により、複数のキーワードを設定し、優先順位を設定しておけば、ステップＳ７において、キーワードの優先順位毎にページ数が振り分けられて記憶され、ステップＳ１０において、優先順位毎のページ数の一覧が記録された用紙が排出される。
【００４５】
従って、この場合、ユーザが必要とする原稿の抽出だけでなく、ユーザの要求度に対応した優先順位に応じた分類等の整理作業が容易に行えるという利点がある。
【００４６】
また、各原稿に連番のページ数が予め印字されている場合には、印字部の印字機能を入力操作部３１からオフ操作しておけばよい。
【００４７】
さらに、上記実施形態では、シートフィードタイプとして原稿抽出機能を利用した方法を示しているが、静止原稿を読み取るフラットベッドタイプとして原稿抽出機能を利用する場合には、ステップＳ４における原稿の搬送に代えて、順次原稿を入れ替えてスタートキーを操作すればよい。そして、読み込み原稿が終了すれば、入力操作部３１に備えられた終了キーを操作すれば、キーワードを含むページ数の一覧を記録した用紙が排出される構成とされている。
【００４８】
次に、本実施形態における特徴的機能であるファイル作成機能について、図５のフローチャートに基づき説明する。
【００４９】
即ち、大量にある原稿の中から、例えば「ランプ」関係の資料を抽出してデータファイルを作成したい場合、大量の原稿を原稿供給トレイ１２にセットし（ステップＳ２１）、入力操作部３１によりファイル作成機能を選択して、キーワード「ランプ」を入力して設定した後（ステップＳ２２）、スタートキーを操作する（ステップＳ２３）。
【００５０】
このスタートキーの操作により、自動原稿搬送装置１１が作動して、原稿供給トレイ１２上に載置された原稿の中の最上位の原稿が原稿搬送経路１４に沿って順次搬送される（ステップＳ２４）。
【００５１】
そして、原稿搬送経路１４途中における透光板１７上を通過する際に、読取装置９によって原稿の画像が読み取られ、読み取られた画像の画像データがメモリに記憶されると共に（ステップＳ２５）、制御部のＯＣＲ機能によって読み取られた画像に含まれる文字について文字認識処理によりテキストデータを作成し、メモリに記憶する（ステップＳ２６）。なお、ファイル作成機能の動作時には、印字部２０はオフ状態とされている。
【００５２】
次に、制御部の検索抽出機能により、ＯＣＲ機能で作成されたテキストデータにキーワード「ランプ」が含まれるかどうかが検索され（ステップＳ２７）、キーワード「ランプ」が含まれていれば、読み取った画像データやテキストデータを指定のファイル、例えば入力操作部３１によって予め入力設定されているファイル名のランプファイルに分類し（ステップＳ２８）、所定のデータ処理、例えばメモリカードやハードディスク等の記憶媒体に記憶処理する（ステップＳ２９）。また、ステップＳ２７で、キーワード「ランプ」が含まれていなければ、メモリに記憶された画像データやテキストデータが破棄される（ステップＳ３０）。
【００５３】
その後、原稿供給トレイ１２上に次の原稿があるかどうかが判断され（ステップＳ３１）、原稿があれば、ステップＳ２４に戻り、同様の動作が繰り返される。そして、原稿供給トレイ１２上の原稿が無くなれば、一連の動作が終了する。
【００５４】
従って、ユーザは、多数の原稿の中からキーワード「ランプ」が含まれる原稿をそのデータとして容易に有効に抽出することができ、大量にある原稿のデータ化に際して、必要な原稿のデータを容易に抽出して整理することができる。
【００５５】
また、ステップＳ２２におけるキーワードの設定に際して、ａｎｄやｏｒ等により、複数のキーワードを設定し、優先順位を設定しておけば、ステップＳ２８およびステップＳ２９において、キーワードの優先順位毎に応じた指定のファイルのそれぞれに分類し、データ処理される。
【００５６】
従って、原稿のデータ化に際し、必要な原稿のデータの抽出やユーザの意図する優先順位に応じた分類（並び替え）が可能となる。ここに、原稿のデータ化と同時に、キーワードに応じた抽出や分類が可能となり、整理作業における作業工程数の削減が図れる利点がある。
【００５７】
しかも、原稿のデータ化に際して、画像データとテキストデータのファイルを作成しているため、画像データにより原稿の読み取りの正確性が確保できると共に、テキストデータによりその後の整理作業におけるデータ処理も容易となる。この際、不要な資料のデータ化は削減されており、無駄なデータの保存が有効に防止できると共に、その後の検索処理等の整理作業においても無駄が有効に防止できる。
【００５８】
なお、ファイルの作成に際して、キーワードが容易に認識できるように、キーワード部分をハイライト等により明確化した状態で記憶する方法であってもよい。
【００５９】
また、上記実施形態では、シートフィードタイプとしてファイル作成機能を利用した方法を示しているが、静止原稿を読み取るフラットベッドタイプとしてファイル作成機能を利用する場合には、ステップＳ４における原稿の搬送に代えて、順次原稿を入れ替えてスタートキーを操作すればよい。そして、読み込み原稿が終了すれば、入力操作部３１に備えられた終了キーを操作すればよい。
【００６０】
さらに、読取装置９として、ツーキャリッジ方式の構造を示しているが、ワンキャリッジ方式であっても同様に適用できる。
【００６１】
また、原稿排出トレイ１３にソーター機能を採用し、原稿の読み取り後、キーワードを含む原稿と含まない原稿とを分類してソートする構造としてもよく、優先順位に応じて分類しソートする構造としてもよい。
【００６２】
さらに、本実施形態においては、自動原稿搬送装置１１における原稿搬送経路１４の途中に印字部２０を組み込んだ構造を示しているが、別途、印字装置を配置し、この印字装置を通過するように原稿が搬送される原稿搬送経路を形成する構造であってもよい。
【００６３】
また、画像形成装置として複合機１を示しているが、コピー機やファクシミリ等であってもよく、何ら上記実施形態に限られない。
【図面の簡単な説明】
【００６４】
【図１】本発明の実施形態にかかる複合機の斜視図である。
【図２】複合機の断面正面図である。
【図３】図２の要部拡大図である。
【図４】原稿抽出機能のフローチャートである。
【図５】ファイル作成機能のフローチャートである。
【符号の説明】
【００６５】
１  複合機
２  記録部
３  画像読取部
４  記録装置
５  給紙カセット
６  記録紙排出トレイ
７  原稿載置台
９  読取装置
１０  原稿押さえカバー
１１  自動原稿搬送装置
１４  原稿搬送経路
１７  透光板
２０  印字部
３１  入力操作部
【図１】
2008140205.tif 000003
【図２】
2008140205.tif 000004
【図３】
2008140205.tif 000005
【図４】
2008140205.tif 000006
【図５】
2008140205.tif 000007